(57)【特許請求の範囲】
【請求項１】
バイオテクノロジーの医療分野に使用するデータ解析装置が通信ネットワークに接続する医用データ処理システムにおいて、
前記データ解析装置は、抽出されたＤＮＡサンプルとＤＮＡチップとのスキャナ照合読取り処理／照合結果の比較分析処理をし、
その対応処方がデータとして格納される複数の処方アイテムを備える、少なくとも一つ以上の症例が細分化されて細分症例として階層構造とされ一箇所に収集されるとともに、前記処方アイテムは、内部に格納される前記対応処方が元のデータ蓄積先にリンクするデータベースとして、前記データ解析装置からアクセスされることを特徴とする医用データ処理システム。
【請求項２】
前記データベースは、前記処方アイテムにアクセスする際にその使用状況に応じてアクセス元に課金を要請する課金システムを備えることを特徴とする請求項１記載の医用データ処理システム。
【請求項３】
前記データ解析装置は、前記処方アイテムにアクセスしてその内部のデータをダウンロードすることを特徴とする請求項１または請求項２記載の医用データ処理システム。
【発明の詳細な説明】
【０００１】
【発明の属する技術分野】
本発明は、医療分野にあって、症例情報、疾病名情報、病態情報、診断情報、治療情報をデータとして有し、最適な投薬情報の検索等を速やかに実行できる医用データ処理システムに関するものである。
【０００２】
【従来の技術】
最近、バイオ・テクノロジーが発達し、医療分野では、さまざまな応用技術が採用されている。具体的には、図２に示すように、医療の現場では、医師による診断、患者の採血・患部摘出、前処理（ＤＮＡ抽出／タンパク質抽出：プリプロセッシング）、ＤＮＡチップ検出（特異的ＤＮＡ／タンパク質の検出）、抽出されたＤＮＡサンプルとＤＮＡチップとのスキャナ（共焦点顕微鏡等による）照合読取り処理／照合結果の比較分析処理、続いてのデータ解析処理、更には、出版済文献、論文、参考資料を用いての症例、疾病名、治療法、投薬法の調査、検索という処理の流れが一般的である。
【０００３】
上述したような処理の流れにあって、図2の各々のブロック処理を一連の処理として一つの専門機関で行うこともあるが、通常は、それぞれの処理を一つの専門機関で担当し、複数の機関にわたって処理担当する場合がきわめて多い。
【０００４】
また、症例、疾病名、治療法、投薬法の調査、検索に用いられるべき文献、論文、資料のデータベースもそれぞれが独立に、例えば、研究機関単位、大学単位、研究所単位、一般企業単位、文献出版元単位等に点在して存在することが多く、調査、検索の処理手続きが煩雑であった。
【発明が解決しようとする課題】
本発明は、このような煩雑さを解決することを課題とし、ひいては、症例、疾病名、治療法、投薬法等の調査、検索を円滑にかつ効率よく行えるようなシステムを実現することを目的とする。
【課題を解決するための手段】
このような課題を達成する本発明は、次の通りである。
（１）バイオテクノロジーの医療分野に使用するデータ解析装置が通信ネットワークに接続する医用データ処理システムにおいて、
前記データ解析装置は、抽出されたＤＮＡサンプルとＤＮＡチップとのスキャナ照合読取り処理／照合結果の比較分析処理をし、
その対応処方がデータとして格納される複数の処方アイテムを備える、少なくとも一つ以上の症例が細分化されて細分症例として階層構造とされ一箇所に収集されるとともに、前記処方アイテムは、内部に格納される前記対応処方が元のデータ蓄積先にリンクするデータベースとして、前記データ解析装置からアクセスされることを特徴とする医用データ処理システム。
（２）前記データベースは、前記処方アイテムにアクセスする際にその使用状況に応じてアクセス元に課金を要請する課金システムを備えることを特徴とする（１）記載の医用データ処理システム。
（３）前記データ解析装置は、前記処方アイテムにアクセスしてその内部のデータをダウンロードすることを特徴とする（１）または（２）記載の医用データ処理システム。
【０００５】
【発明の実施の形態】
以下、本発明の実施形態を図面により詳細に説明する。
図１は、本発明の医用データ処理システムの構成を表わす構成概念図である。
データ解析装置Ｃ１，Ｃ２，Ｃ３，…は、例えば、病院、医師、薬剤師、医療コンサルタント等の手元に設置される、一般的なパーソナル・コンピュータ等の小型のコンピュータ・システムを使用することが多く、通信ネットワークＬに接続される。
【０００６】
通信ネットワークＬに結合するポータル・サイトＳは、上述したような、各地域、日本国外等に点在する、研究機関単位、大学単位、研究所単位、一般企業単位、文献発行元単位等に構築されている症例、疾病名、治療法、投薬法の調査、検索に用いられるべき文献名、論文名、資料名等を仮想的に一箇所に収集する、いわゆるソフトウェア・バンクのような、文献名、論文名、資料名等を一括管理する胴元として機能するデータベースである。
【０００７】
具体的には、ポータル・サイトＳは、症例Ｘ、症例Ｙ、…として、例えば、痴呆、癌、糖尿病、高血圧、喘息等が挙げられ、更に癌の種類別等、一つの症例を細分化する必要があれば、症例Ｘの中に、細分症例ｘ１，ｘ２，ｘ３，…を構築して階層化構造とする。
【０００８】
そして、各機関Ｘａ、大学Ｘｂ、研究所Ｘｃ、企業Ｘｄ等の処方アイテムには、それぞれが得意の分野、部門とする症例Ｘ、細分症例ｘ１，ｘ２，ｘ３，…、に対応する、疾病名、治療法、投薬法等がデータとして記憶される。これらの疾病名、治療法、投薬法等は、データ解析装置Ｃ１，Ｃ２，Ｃ３側にあって、キーワード検索、クリック操作等により、所望のデータを通信ネットワークＬを介して手に入れることができる。
【０００９】
同様にして、症例Ｙについても、各機関Ｙａ、大学Ｙｂ、研究所Ｙｃ、企業Ｙｄ等の処方アイテムには、それぞれが得意の分野、部門とする症例Yに対応する、疾病名、治療法、投薬法等がデータとして記憶され、データ解析装置Ｃ１，Ｃ２，Ｃ３側にあって、通信ネットワークＬを介して手に入れることができる。
【００１０】
このようなシステムにあって、例えば、病院、医師等の手元に設置されているデータ解析装置Ｃ１（またはＣ２，Ｃ３）にて、抽出されたＤＮＡサンプルとＤＮＡチップとのスキャナ（共焦点顕微鏡等による）照合読取り処理／照合結果の比較分析処理が完了し、症例、疾病名、治療法、投薬法の調査、検索という処理に移行したいときには、通信ネットワークＬを介してポータル・サイトＳにアクセスし、該当する症例Ｘ（症例Ｙ）を選択する。細分症例ｘ１（ｘ２，ｘ３）が必要な場合には、症例Ｘを選択後、細分症例を選択すべく、その下位側へ移行する。
【００１１】
そして、症例Ｘまたは細分症例ｘ１より、任意の機関Ｘａ、大学Ｘｂ、研究所Ｘｃ、企業Ｘｄをクリック操作等により選択し、所望の処方アイテムにアクセスし、その症例に対応する投薬法、診療法等を手元のデータ解析装置における画面表示、プリントアウト等により手に入れる。
【００１２】
または、そのポータル・サイトＳ側にある各処方アイテムをデータとしてデータ解析装置Ｃ１，Ｃ２，Ｃ３側にダウンロードするような構成でも良い。
【００１３】
ここで、機関Ｘａ、大学Ｘｂ、研究所Ｘｃ、企業Ｘｄ等の処方アイテムに、それぞれ得意のテーマ、または唯一のデータベースとして、それに対応する表題、タイトルを付加するようにすれば、選択、検索等が容易となる。
【００１４】
一方、ポータル・サイトＳ内の処方アイテムのうち、ポータル・サイトＳ内に、課金システムＫを設置し、データ解析装置Ｃ１，Ｃ２，Ｃ３側からポータル・サイトＳ内のいずれかの処方アイテムＸａ，Ｘｂ，Ｘｃ，Ｘｄ，…、Ｙａ，Ｙｂ，Ｙｃ，Ｙｄ，…にアクセスしたときは、その処方アイテム側、即ちオリジナルなデータを有する機関等へ相応の使用料がカード引き落とし等により支払われるよう、課金システムＫを設置する。
【００１５】
このようにして、ポータル・サイトＳに、従来、各所に点在していた種々の症例等のデータベースを一つに集合させ、医師等の手元にあるデータ解析装置Ｃ１，Ｃ２，Ｃ３から容易に選択、検索等が実行でき、処方アイテムとしての投薬法、診療法等をす早く知ることができる。
【００１６】
尚、処方アイテムＸａ，Ｘｂ，Ｘｃ，Ｘｄ，…、Ｙａ，Ｙｂ，Ｙｃ，Ｙｄは、クリックすると、それぞれの機関、大学、研究所、企業等を紹介するホームページにリンクするようにしておいても良い。
【００１７】
それからデータ解析装置Ｃ１，Ｃ２，Ｃ３からのデータは、個人情報に関連するため、そのためのセキュリティ保護機能がシステムに搭載されている。
【００１８】
【発明の効果】
以上まとめると、本発明によれば次の効果を得る。
本発明の医用データ処理システムは、各地に点在する症例、疾病名、治療法、投薬法の調査、検索に用いられるべき文献、論文、資料のデータベースを一つのポータル・サイトに集合させ、必要に応じて課金システムを付加させたので、症例に対する診療法、投薬法等の調査、検索の処理手続きの煩雑さを解消でき、円滑にかつ効率よく行えるシステムを実現できる。
【図面の簡単な説明】
【図１】本発明の医用データ処理システムの構成を表わすブロック図である。
【図２】従来の医療診断の進行を説明するシステム図である。
【符号の説明】
Ｃ１，Ｃ２，Ｃ３  データ解析装置
Ｌ  通信ネットワーク
Ｓ  ポータル・サイト
Ｋ  課金システム
【図１】
0003716177.tif 000002
【図２】
0003716177.tif 000003